(57)【要約】【課題】利便性良好に視聴を所望する再生位置にチャプタスキップする。【解決手段】ＨＤＤレコーダのＭＰＵ１１は、リモコン３を介して受け付けられた操作入力に基づいて、予め設定されたチャプタ単位で映像記憶部１９１に格納された映像情報の再生位置を、再生方向又は巻き戻し方向のチャプタの先頭位置であるスキップ先位置へスキップする指示を受け付けるスキップ受付部１１３と、リモコン３を介して受け付けられた操作入力に基づいて、スキップ先位置のディスプレイ２１への表示形態を設定する表示形態設定部１１２と、設定された表示形態に従ってスキップ先位置をディスプレイ２１に表示する表示制御部１１５と、リモコン３を介して受け付けられた操作入力に基づいて、スキップ先位置へ再生位置をスキップするスキップ実行部１１６と、備えている。【選択図】図３
2009044554.tif 000002
【特許請求の範囲】
【請求項１】
予め格納された映像情報を再生してモニタに表示する映像再生装置であって、
複数の番組に対応する映像情報を予め格納する映像記憶手段と、
外部からの操作入力を受け付けて、受け付けられた操作入力に基づいて、予め設定されたチャプタ単位で前記映像情報の再生位置を、再生方向又は巻き戻し方向のチャプタの先頭位置であるスキップ先位置へスキップする指示を受け付けるスキップ受付手段と、
外部からの操作入力を受け付けて、受け付けられた操作入力に基づいて、前記スキップ受付手段によって受け付けられたスキップ先位置の前記モニタへの表示形態を設定する表示形態設定手段と、
前記表示形態設定手段によって設定された表示形態に従って、前記スキップ受付手段によって受け付けられたスキップ先位置を前記モニタに表示する表示制御手段と、
外部からの操作入力を受け付けて、受け付けられた操作入力に基づいて、前記スキップ受付手段によって受け付けられたスキップ先位置へ再生位置をスキップするスキップ実行手段と、
を備えることを特徴とする映像再生装置。
【請求項２】
前記表示形態設定手段は、前記スキップ先位置を、再生中のチャプタである基準チャプタを基準として表示する相対位置表示、及び、前記スキップ先位置を、番組の先頭位置を基準として表示する絶対位置表示、の一方を選択することによって表示形態を設定することを特徴とする請求項１に記載の映像再生装置。
【請求項３】
前記スキップ受付手段によって受け付けられたスキップ先位置が、再生中のチャプタを含む番組である基準番組内であるか否かを判定するスキップ先判定手段を備え、
前記表示制御手段は、前記スキップ先判定手段によってスキップ先位置が前記基準番組内であると判定された場合に、
前記表示形態設定手段によって相対位置表示が設定されている場合には、前記スキップ先位置が含まれるチャプタであるスキップ先チャプタが、前記基準チャプタを基準として何個後又は何個前のチャプタであるかを示す符号付きのチャプタ数情報を表示し、
前記表示形態設定手段によって絶対位置表示が設定されている場合には、前記スキップ先チャプタが前記基準番組の何個目のチャプタであるかを示すチャプタ番号情報を表示することを特徴とする請求項２に記載の映像再生装置。
【請求項４】
前記表示制御手段は、前記スキップ先判定手段によってスキップ先位置が前記基準番組内ではないと判定された場合に、
前記表示形態設定手段によって相対位置表示が設定されている場合には、前記スキップ先位置が含まれる番組であるスキップ先番組が、前記基準番組を基準として何個後又は何個前の番組であるかを示す符号付きの番組数情報を表示し、
前記表示形態設定手段によって絶対位置表示が設定されている場合には、前記スキップ先番組が前記映像記憶手段に格納された何個目の番組であるかを示す番組番号情報を表示することを特徴とする請求項２又は請求項３に記載の映像再生装置。
【請求項５】
前記表示制御手段は、前記スキップ先判定手段によってスキップ先位置が前記基準番組内ではないと判定された場合に、
前記スキップ先チャプタが前記スキップ先番組の何個目のチャプタであるかを示すチャプタ番号情報を表示することを特徴とする請求項４に記載の映像再生装置。
【請求項６】
テレビジョン放送を受信して、受信された映像情報を格納すると共に、格納された映像情報をモニタに表示可能に構成された放送記録再生装置であって、
テレビジョン放送を受信する受信手段と、
請求項１〜請求項５のいずれかに記載の映像再生装置と、
外部からの操作入力を受け付けて、受け付けられた操作入力に基づいて、前記受信手段を介して受信された映像情報を前記映像記憶手段に格納する映像記録手段と、
を備えることを特徴とする放送記録再生装置。
【発明の詳細な説明】
【技術分野】
【０００１】
本発明は、予め格納された映像情報を再生してモニタに表示する映像再生装置、及び、テレビジョン放送を受信して、受信された映像情報を格納すると共に、格納された映像情報をモニタに表示可能に構成された放送記録再生装置に関する。
【背景技術】
【０００２】
従来、ＤＶＤ（Ｄｉｇｉｔａｌ  Ｖｅｒｓａｔｉｌｅ  Ｄｉｓｋ）プレイヤ、ＨＤＤ(Ｈａｒｄ  Ｄｉｓｋ  Ｄｒｉｖｅ)プレイヤ等の映像再生装置は、再生位置を所望する位置に移動させるために、チャプタ単位で再生位置をスキップするいわゆる「チャプタスキップ機能」を有している。しかしながら、ユーザにとってスキップ先の位置が容易に把握できないために、ユーザが視聴を所望する再生位置にスキップすることが容易ではない場合があった。
【０００３】
上記課題を解消するべく、種々の装置、方法等が提案されている。例えば、番組の再生中に、所定の指示、例えばチャプタスキップの指示が入力されると、指示の内容に対応した報知画像（スプラッシュマーク）が選択され、再生中の番組の全チャプタ数及びスキップ先のチャプタ番号が読み出され、選択されたスプラッシュマークに、読み出された全チャプタ数及びスキップ先のチャプタ番号を重畳させた画面表示用データが生成される映像データ再生装置が開示されている（特許文献１参照）。
【特許文献１】特開２００６−２６２０９４号公報
【発明の開示】
【発明が解決しようとする課題】
【０００４】
しかしながら、上記映像データ再生装置においては、再生中の番組の全チャプタ数及びスキップ先のチャプタ番号が表示されるものの、再生中のチャプタ番号をユーザが把握していない場合には、ユーザが視聴を所望する再生位置にスキップすることが容易ではない。また、ユーザが再生中の番組外の再生位置にスキップする場合には、更に、利便性が充分ではない。
【０００５】
本発明は、上記課題に鑑みてなされたものであって、利便性良好に視聴を所望する再生位置にチャプタスキップすることの可能な映像再生装置及び放送記録再生装置を提供することを目的としている。
【課題を解決するための手段】
【０００６】
上記目的を達成するために請求項１に記載の映像再生装置は、予め格納された映像情報を再生してモニタに表示する映像再生装置であって、複数の番組に対応する映像情報を予め格納する映像記憶手段と、外部からの操作入力を受け付けて、受け付けられた操作入力に基づいて、予め設定されたチャプタ単位で前記映像情報の再生位置を、再生方向又は巻き戻し方向のチャプタの先頭位置であるスキップ先位置へスキップする指示を受け付けるスキップ受付手段と、外部からの操作入力を受け付けて、受け付けられた操作入力に基づいて、前記スキップ受付手段によって受け付けられたスキップ先位置の前記モニタへの表示形態を設定する表示形態設定手段と、前記表示形態設定手段によって設定された表示形態に従って、前記スキップ受付手段によって受け付けられたスキップ先位置を前記モニタに表示する表示制御手段と、外部からの操作入力を受け付けて、受け付けられた操作入力に基づいて、前記スキップ受付手段によって受け付けられたスキップ先位置へ再生位置をスキップするスキップ実行手段と、を備えることを特徴としている。
【０００７】
請求項２に記載の映像再生装置は、請求項１に記載の映像再生装置であって、前記表示形態設定手段が、前記スキップ先位置を、再生中のチャプタである基準チャプタを基準として表示する相対位置表示、及び、前記スキップ先位置を、番組の先頭位置を基準として表示する絶対位置表示、の一方を選択することによって表示形態を設定することを特徴としている。
【０００８】
請求項３に記載の映像再生装置は、請求項２に記載の映像再生装置であって、前記スキップ受付手段によって受け付けられたスキップ先位置が、再生中のチャプタを含む番組である基準番組内であるか否かを判定するスキップ先判定手段を備え、前記表示制御手段が、前記スキップ先判定手段によってスキップ先位置が前記基準番組内であると判定された場合に、前記表示形態設定手段によって相対位置表示が設定されている場合には、前記スキップ先位置が含まれるチャプタであるスキップ先チャプタが、前記基準チャプタを基準として何個後又は何個前のチャプタであるかを示す符号付きのチャプタ数情報を表示し、前記表示形態設定手段によって絶対位置表示が設定されている場合には、前記スキップ先チャプタが前記基準番組の何個目のチャプタであるかを示すチャプタ番号情報を表示することを特徴としている。
【０００９】
請求項４に記載の映像再生装置は、請求項２又は請求項３に記載の映像再生装置であって、前記表示制御手段が、前記スキップ先判定手段によってスキップ先位置が前記基準番組内ではないと判定された場合に、前記表示形態設定手段によって相対位置表示が設定されている場合には、前記スキップ先位置が含まれる番組であるスキップ先番組が、前記基準番組を基準として何個後又は何個前の番組であるかを示す符号付きの番組数情報を表示し、前記表示形態設定手段によって絶対位置表示が設定されている場合には、前記スキップ先番組が前記映像記憶手段に格納された何個目の番組であるかを示す番組番号情報を表示することを特徴としている。
【００１０】
請求項５に記載の映像再生装置は、請求項４に記載の映像再生装置であって、前記表示制御手段が、前記スキップ先判定手段によってスキップ先位置が前記基準番組内ではないと判定された場合に、前記スキップ先チャプタが前記スキップ先番組の何個目のチャプタであるかを示すチャプタ番号情報を表示することを特徴としている。
【００１１】
請求項６に記載の放送記録再生装置は、テレビジョン放送を受信して、受信された映像情報を格納すると共に、格納された映像情報をモニタに表示可能に構成された放送記録再生装置であって、テレビジョン放送を受信する受信手段と、請求項１〜請求項５のいずれかに記載の映像再生装置と、外部からの操作入力を受け付けて、受け付けられた操作入力に基づいて、前記受信手段を介して受信された映像情報を前記映像記憶手段に格納する映像記録手段と、を備えることを特徴としている。
【発明の効果】
【００１２】
請求項１に記載の映像再生装置によれば、複数の番組に対応する映像情報が映像記憶手段に予め格納されており、外部からの操作入力が受け付けられて、受け付けられた操作入力に基づいて、予め設定されたチャプタ単位で前記映像情報の再生位置を、再生方向又は巻き戻し方向のチャプタの先頭位置であるスキップ先位置へスキップする指示が受け付けられる。また、外部からの操作入力が受け付けられて、受け付けられた操作入力に基づいて、スキップ先位置のモニタへの表示形態が設定される。そして、設定された表示形態に従って、受け付けられたスキップ先位置がモニタに表示され、外部からの操作入力が受け付けられて、受け付けられた操作入力に基づいて、受け付けられたスキップ先位置へ再生位置がスキップされるため、利便性良好に視聴を所望する再生位置にチャプタスキップすることができる。
【００１３】
すなわち、外部からの操作入力が受け付けられて、受け付けられた操作入力に基づいて、スキップ先位置のモニタへの表示形態が設定され、設定された表示形態に従って、受け付けられたスキップ先位置がモニタに表示されるため、ユーザが所望する表示形態を設定することが可能となるので、利便性良好に視聴を所望する再生位置にチャプタスキップすることができるのである。
【００１４】
請求項２に記載の映像再生装置によれば、スキップ先位置を、再生中のチャプタである基準チャプタを基準として表示する相対位置表示、及び、スキップ先位置を、番組の先頭位置を基準として表示する絶対位置表示、の一方を選択することによって表示形態が設定されるため、ユーザが所望する表示形態を容易に設定することが可能となるので、更に利便性良好に視聴を所望する再生位置にチャプタスキップすることができる。
【００１５】
請求項３に記載の映像再生装置によれば、受け付けられたスキップ先位置が、再生中のチャプタを含む番組である基準番組内であるか否かが判定され、スキップ先位置が基準番組内であると判定された場合に、相対位置表示が設定されている場合には、スキップ先位置が含まれるチャプタであるスキップ先チャプタが、基準チャプタを基準として何個後又は何個前のチャプタであるかを示す符号付きのチャプタ数情報が表示され、絶対位置表示が設定されている場合には、スキップ先チャプタが基準番組の何個目のチャプタであるかを示すチャプタ番号情報が表示されるため、更に利便性良好に視聴を所望する再生位置にチャプタスキップすることができる。
【００１６】
すなわち、スキップ先位置が基準番組内であると判定された場合に、相対位置表示が設定されている場合には、スキップ先位置が含まれるチャプタであるスキップ先チャプタが、再生中のチャプタである基準チャプタを基準として何個後又は何個前のチャプタであるかを示す符号付きのチャプタ数情報が表示されるため、再生中のチャプタである基準チャプタが再生中の番組における何番目のチャプタであるかを把握していない場合であっても利便性良好に視聴を所望する再生位置にチャプタスキップすることができるのである。
【００１７】
また、スキップ先位置が基準番組内であると判定された場合に、絶対位置表示が設定されている場合には、スキップ先チャプタが基準番組の何個目のチャプタであるかを示すチャプタ番号情報が表示されるため、再生中のチャプタである基準チャプタが再生中の番組における何番目のチャプタであるかを把握している場合には、利便性良好に視聴を所望する再生位置にチャプタスキップすることができるのである。
【００１８】
請求項４に記載の映像再生装置によれば、スキップ先位置が基準番組内ではないと判定された場合に、相対位置表示が設定されている場合には、スキップ先位置が含まれる番組であるスキップ先番組が、基準番組を基準として何個後又は何個前の番組であるかを示す符号付きの番組数情報が表示され、絶対位置表示が設定されている場合には、スキップ先番組が映像記憶手段に格納された何個目の番組であるかを示す番組番号情報が表示されるため、更に利便性良好に視聴を所望する再生位置にチャプタスキップすることができる。
【００１９】
すなわち、スキップ先位置が基準番組内ではないと判定された場合に、相対位置表示が設定されている場合には、スキップ先位置が含まれる番組であるスキップ先番組が、基準番組を基準として何個後又は何個前の番組であるかを示す符号付きの番組数情報が表示され、再生中の番組である基準番組が映像記憶手段に格納された何個目の番組であるかを把握していない場合であっても、利便性良好に視聴を所望する再生位置にチャプタスキップすることができるのである。
【００２０】
また、スキップ先位置が基準番組内ではないと判定された場合に、絶対位置表示が設定されている場合には、スキップ先番組が映像記憶手段に格納された何個目の番組であるかを示す番組番号情報が表示されるため、再生中の番組である基準番組が映像記憶手段に格納された何個目の番組であるかを把握している場合には、利便性良好に視聴を所望する再生位置にチャプタスキップすることができるのである。
【００２１】
請求項５に記載の映像再生装置によれば、スキップ先位置が基準番組内ではないと判定された場合に、スキップ先チャプタがスキップ先番組の何個目のチャプタであるかを示すチャプタ番号情報が表示されるため、更に利便性良好に視聴を所望する再生位置にチャプタスキップすることができる。
【００２２】
すなわち、スキップ先位置が基準番組内ではないと判定された場合に、スキップ先番組の位置を示す番組番号情報（又は符号付きの番組数情報）に加えて、スキップ先チャプタがスキップ先番組の何個目のチャプタであるかを示すチャプタ番号情報が表示されるため、スキップ先位置を更に正確に把握することができるので、更に利便性良好に視聴を所望する再生位置にチャプタスキップすることができるのである。
【００２３】
請求項６に記載の放送記録再生装置によれば、請求項１〜請求項５のいずれかに記載の映像再生装置を備え、外部からの操作入力が受け付けられて、受け付けられた操作入力に基づいて、受信手段を介して受信された映像情報が映像記憶手段に格納されるため、利便性良好に視聴を所望する再生位置にチャプタスキップすることの可能な放送記録再生装置を実現することができる。
【発明を実施するための最良の形態】
【００２４】
以下に本発明の実施形態を、図面を参照しながら説明する。図１は、本発明に係るＨＤＤレコーダの構成の一例を示すブロック図である。ＨＤＤレコーダ１（映像再生装置、放送記録再生装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２５】
ＨＤＤレコーダ１は、リモコン３を介してユーザからの操作入力を受け付けて、受け付けた操作入力に基づいて、テレビジョン放送を受信し、受信した映像情報、音声情報を含む番組情報をＨＤＤ１９に格納するものである。また、ＨＤＤレコーダ１は、リモコン３を介してユーザからの操作入力を受け付けて、受け付けた操作入力に基づいて、ＨＤＤ１９に格納された番組情報を読み出して再生し、出力装置２に対して映像及び音声を出力するものである。
【００２６】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報に対応する映像を外部から視認可能に表示するものである。スピーカ２２は、ＨＤＤレコーダ１から入力された音声情報に対応する音声を出力するものである。
【００２７】
リモコン３（映像記録手段の一部、スキップ受付手段の一部、表示形態設定手段の一部、及び、スキップ実行手段の一部に相当する）は、ユーザからの操作入力を受け付けて、受け付けられた操作入力に対応する赤外線信号を生成して、ＨＤＤレコーダ１に対して出力するものである。
【００２８】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２９】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３０】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３１】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３２】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３３】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３４】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３５】
ＨＤＤ（Ｈａｒｄ  Ｄｉｓｋ  Ｄｒｉｖｅ）１９は、ＭＰＵ１１からの指示に従って、受信部１５を介して受信された映像情報、音声情報等の種々の情報を格納するものである。
【００３６】
次に、ＨＤＤレコーダ１が放送を受信する場合の動作について説明する。まず、送信されてきたデジタル放送波がアンテナ部１５１で受信される。操作部１４（又は、リモコン３）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３７】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３８】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３９】
図２は、リモコン３の一例を示す正面図である。リモコン３は、フォワードスキップキー３１、バックスキップキー３２、方向キー３３、及び、エンターキー３４を備えている。フォワードスキップキー３１は、再生位置を、再生方向にあるチャプタの先頭位置であるスキップ先位置へチャプタ単位でスキップする場合に押下されるキーである。バックスキップキー３２は、再生位置を、巻き戻し方向にあるチャプタの先頭位置であるスキップ先位置へチャプタ単位でスキップする場合に押下されるキーである。
【００４０】
例えば、フォワードスキップキー３１が複数回（例えば、５回）連続して押下された場合には、押下された回数（ここでは、５回）に対応するキップ先位置（＝再生方向に５番目のチャプタ）へスキップされる。また、フォワードスキップキー３１（又は、バックスキップキー３２）が押下され後、予め設定された所定時間（例えば、０．３秒）経過した場合には、指示されたキップ先位置へ再生位置がスキップされる。
【００４１】
方向キー３３は、上下左右の４つの方向キーからなり、ディスプレイ２１に表示された項目の選択状態を変更する場合に、ユーザが所望する項目を選択状態とするために押下されるキーである。エンターキー３４は、方向キー３３によって選択状態とされた項目の選択を決定する（又は、キャンセルする）場合に押下されるキーである。
【００４２】
図３は、本発明に係るＨＤＤレコーダ１における主要部の構成の一例を示すブロック図である。ＭＰＵ１１は、機能的に、映像記録部１１１、表示形態設定部１１２、スキップ受付部１１３、スキップ先判定部１１４、表示制御部１１５、及び、スキップ実行部１１６を備え、ＨＤＤ１９は、機能的に、映像記憶部１９１を備えている。
【００４３】
ここでは、ＭＰＵ１１が、図１に示すＲＯＭ１３等に予め格納された制御プログラムを読み出して実行することにより、映像記録部１１１、表示形態設定部１１２、スキップ受付部１１３、スキップ先判定部１１４、表示制御部１１５、スキップ実行部１１６等の機能部として機能すると共に、ＨＤＤ１９を、映像記憶部１９１等の機能部として機能させるものである。
【００４４】
また、ＲＡＭ１２、図２に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ、半導体メモリ等である。
【００４５】
映像記憶部１９１（映像記憶手段に相当する）は、映像記録部１１１によって受信部１５を介して受信された１のチャンネルの映像情報及び音声情報を含む番組情報を格納するものである。映像記憶部１９１に格納された番組情報は、スキップ実行部１１６によって読み出されるものである。
【００４６】
映像記録部１１１（映像記録手段の一部に相当する）は、リモコン３を介してユーザからの操作入力を受け付けて、受け付けられた操作入力に基づいて、１のチャンネルに対応する放送波を、受信部１５を介して受信すると共に、受信された１のチャンネルの映像情報及び音声情報を含む番組情報を、映像記憶部１９１に記録するものである。
【００４７】
表示形態設定部１１２（表示形態設定手段の一部に相当する）は、リモコン３を介してユーザからの操作入力を受け付けて、受け付けられた操作入力に基づいて、スキップ受付部１１３によって受け付けられたスキップ先位置のディスプレイ２１への表示形態を設定するものである。
【００４８】
具体的には、表示形態設定部１１２は、図４（ａ）に示すスキップ表示設定画面４００を介して、スキップ先位置を、再生中のチャプタである基準チャプタを基準として表示する相対位置表示、スキップ先位置を、番組の先頭位置を基準として表示する絶対位置表示、及び、スキップ先位置を表示しない無表示、のいずれかを選択することによって表示形態を設定するものである。
【００４９】
図４（ａ）は、表示形態設定部１１２によってディスプレイ２１に表示されるスキップ表示設定画面４００の一例を示す画面図である。スキップ表示設定画面４００には、画面略中央部に、形態表示部４０１が表示され、画面下部に、設定ボタン４０３及びキャンセルボタン４０４が表示されている。
【００５０】
形態表示部４０１は、ここでは、３個の表示形態を選択可能に表示するものであって、第１表示部４０１ａ、第２表示部４０１ｂ、及び、第３表示部４０１ｃを備えている。第１表示部４０１ａは、スキップ先位置を再生中のチャプタである基準チャプタを基準として表示する相対位置表示を選択する場合に選択されるものである。第２表示部４０１ｂは、スキップ先位置を番組の先頭位置を基準として表示する絶対位置表示を選択する場合に選択されるものである。第３表示部４０１ｃは、スキップ先位置を表示しない無表示選択する場合に選択されるものである。
【００５１】
また、形態表示部４０１には、第１表示部４０１ａ、第２表示部４０１ｂ、及び、第３表示部４０１ｃのどの表示部が選択状態にあるかを示す選択状態表示部４０２が表示されている。ここでは、第１表示部４０１ａに対応する位置に選択状態表示部４０２が太枠で表示され、第１表示部４０１ａが選択状態にあることを示している。
【００５２】
更に、例えば、表示形態設定部１１２によって、図２に示すリモコン３の方向キー３３が押下されたことが受け付けられた場合には、押下された方向キー３３の示す向きに選択状態が移動される。すなわち、表示形態設定部１１２によって、方向キー３３の内、下方向キーが押下されたことが受け付けられた場合には、選択状態表示部４０２が第１表示部４０１ａに対応する位置から第２表示部４０１ｂに対応する位置に移動される。
【００５３】
設定ボタン４０３は、第１表示部４０１ａ、第２表示部４０１ｂ、及び、第３表示部４０１ｃの中から、選択状態にある（＝選択状態表示部４０２が表示されている）１の表示部に対応する表示形態を設定する場合に押下するボタンである。ここで、「押下する」とは、図２に示すリモコン３の方向キー３３によって選択状態とされ、更に、図２に示すリモコン３のエンターキー３４が押下されたことが受け付けられたことを意味している。キャンセルボタン４０４は、選択状態をキャンセルする場合に押下するボタンである。
【００５４】
再び、図３に戻って、ＭＰＵ１１の機能構成について説明する。スキップ受付部１１３（スキップ受付手段の一部に相当する）は、リモコン３を介してユーザからの操作入力を受け付けて、受け付けられた操作入力に基づいて、予め設定されたチャプタ単位で映像情報の再生位置を、再生方向又は巻き戻し方向のチャプタの先頭位置であるスキップ先位置へスキップする指示を受け付けるものである。
【００５５】
具体的には、スキップ受付部１１３は、図２に示すリモコン３に配設されたフォワードスキップキー３１（又は、バックスキップキー３２）が押下された場合に、スキップ先の位置であるスキップ先位置を、押下された回数に対応する再生方向（又は、巻き戻し方向）にあるチャプタの先頭位置に設定するものである。
【００５６】
図５（ａ）は、スキップ受付部１１３によって設定されるスキップ先位置の一例を示す説明図である。ここでは、図５（ａ）に示すように、映像記憶部１９１に、予め番組Ａ、番組Ｂ、番組Ｃが順次格納され、番組Ａ、番組Ｂ、番組Ｃには、それぞれ、５個のチャプタが設定されている。
【００５７】
また、ここでは、番組Ｂの第３チャプタにおける任意の位置Ｐ０を再生中である場合について説明する。例えば、スキップ受付部１１３によって、バックスキップキー３２が６回押下されたことが受け付けられた場合には、スキップ先位置が番組Ａの第２チャプタの先頭位置Ｐ１に設定される。また、スキップ受付部１１３によって、バックスキップキー３２が２回押下されたことが受け付けられた場合には、スキップ先位置が番組Ｂの第１チャプタの先頭位置Ｐ２に設定される。
【００５８】
同様に、スキップ受付部１１３によって、フォワードスキップキー３１が１回押下されたことが受け付けられた場合には、スキップ先位置が番組Ｂの第４チャプタの先頭位置Ｐ３に設定される。また、スキップ受付部１１３によって、フォワードスキップキー３１が７回押下されたことが受け付けられた場合には、スキップ先位置が番組Ｃの第５チャプタの先頭位置Ｐ４に設定される。
【００５９】
再び、図３に戻って、ＭＰＵ１１の機能構成について説明する。スキップ先判定部１１４（スキップ先判定手段に相当する）は、スキップ受付部１１３によって受け付けられたスキップ先位置が、再生中のチャプタを含む番組である基準番組内であるか否かを判定するものである。
【００６０】
ここで、図５（ａ）に示す番組Ｂの第３チャプタにおける任意の位置Ｐ０を再生中である場合について説明する。スキップ受付部１１３によってバックスキップキー３２が押下されたと受け付けられた回数が２回以下である場合には、スキップ先判定部１１４によって、スキップ先が位置基準番組（ここでは、番組Ｂ）内であると判定される。また、スキップ受付部１１３によってバックスキップキー３２が押下されたと受け付けられた回数が３回以上である場合には、スキップ先判定部１１４によって、スキップ先が位置基準番組（ここでは、番組Ｂ）内ではないと判定される。
【００６１】
更に、スキップ受付部１１３によってフォワードスキップキー３１が押下されたと受け付けられた回数が２回以下である場合には、スキップ先判定部１１４によって、スキップ先が位置基準番組（ここでは、番組Ｂ）内であると判定される。また、スキップ受付部１１３によってフォワードスキップキー３１が押下されたと受け付けられた回数が３回以上である場合には、スキップ先判定部１１４によって、スキップ先が位置基準番組（ここでは、番組Ｂ）内ではないと判定される。
【００６２】
再び、図３に戻って、ＭＰＵ１１の機能構成について説明する。表示制御部１１５（表示制御手段に相当する）は、表示形態設定部１１２によって設定された表示形態に従って、スキップ受付部１１３によって受け付けられたスキップ先位置をディスプレイ２１に表示するものである。
【００６３】
具体的には、表示制御部１１５は、スキップ先判定部１１４によってスキップ先位置が基準番組内であると判定された場合に、表示形態設定部１１２によって相対位置表示が設定されている場合には、スキップ先位置が含まれるチャプタであるスキップ先チャプタが、基準チャプタを基準として何個後又は何個前のチャプタであるかを示す符号付きのチャプタ数情報を表示し、表示形態設定部１１２によって絶対位置表示が設定されている場合には、スキップ先チャプタが基準番組の何個目のチャプタであるかを示すチャプタ番号情報を表示するものである。
【００６４】
また、表示制御部１１５は、スキップ先判定部１１４によってスキップ先位置が基準番組内ではないと判定された場合に、表示形態設定部１１２によって相対位置表示が設定されている場合には、スキップ先位置が含まれる番組であるスキップ先番組が、基準番組を基準として何個後又は何個前の番組であるかを示す符号付きの番組数情報を表示し、表示形態設定部１１２によって絶対位置表示が設定されている場合には、スキップ先番組が映像記憶部１９１に格納された何個目の番組であるかを示す番組番号情報を表示するものである。
【００６５】
更に、表示制御部１１５は、スキップ先判定部１１４によってスキップ先位置が基準番組内ではないと判定された場合に、スキップ先チャプタがスキップ先番組の何個目のチャプタであるかを示すチャプタ番号情報を表示するものである。図４（ｂ）は、表示制御部１１５によってディスプレイ２１に表示されるスキップ先表示画面４１０の一例を示す画面図である。
【００６６】
スキップ先表示画面４１０には、画面左上部に、スキップ先表示部４１１が表示されている。スキップ先表示部４１１は、表示形態設定部１１２によって設定された表示形態に従って、スキップ受付部１１３によって受け付けられたスキップ先位置を表示するものであって、タイトル表示部４１１ａ、及び、チャプタ表示部４１１ｂを備えている。
【００６７】
タイトル表示部４１１ａは、スキップ先判定部１１４によってスキップ先位置が基準番組内ではないと判定された場合に、表示形態設定部１１２によって相対位置表示が設定されている場合には、スキップ先位置が含まれる番組であるスキップ先番組が、基準番組を基準として何個後又は何個前の番組であるかを示す符号付きの番組数情報を表示し、表示形態設定部１１２によって絶対位置表示が設定されている場合には、スキップ先番組が映像記憶部１９１に格納された何個目の番組であるかを示す番組番号情報を表示するものである。
【００６８】
チャプタ表示部４１１ｂは、スキップ先判定部１１４によってスキップ先位置が基準番組内であると判定された場合に、表示形態設定部１１２によって相対位置表示が設定されている場合には、スキップ先位置が含まれるチャプタであるスキップ先チャプタが、基準チャプタを基準として何個後又は何個前のチャプタであるかを示す符号付きのチャプタ数情報を表示し、表示形態設定部１１２によって絶対位置表示が設定されている場合には、スキップ先チャプタが基準番組の何個目のチャプタであるかを示すチャプタ番号情報を表示するものである。また、チャプタ表示部４１１ｂは、スキップ先判定部１１４によってスキップ先位置が基準番組内ではないと判定された場合に、スキップ先チャプタがスキップ先番組の何個目のチャプタであるかを示すチャプタ番号情報を表示するものである。
【００６９】
図５（ｂ）は、図４（ｂ）に示すスキップ先表示画面４１０のタイトル表示部４１１ａ及びチャプタ表示部４１１ｂに表示される内容の一例を示す図表である。ここで、図の左端欄のスキップ操作は、図５（ａ）に示す再生中の位置Ｐ０からスキップ先位置Ｐ１〜Ｐ４へのスキップ操作を示している。図の左から２番目及び３番目の欄には、表示形態設定部１１２によって相対位置表示が設定されている場合に、スキップ先表示画面４１０のタイトル表示部４１１ａ及びチャプタ表示部４１１ｂに表示される内容を示しており、図の左から４番目及び５番目の欄には、表示形態設定部１１２によって絶対位置表示が設定されている場合に、スキップ先表示画面４１０のタイトル表示部４１１ａ及びチャプタ表示部４１１ｂに表示される内容を示している。
【００７０】
例えば、表示形態設定部１１２によって相対位置表示が設定されている場合に、スキップ受付部１１３によって、再生中の位置Ｐ０からスキップ先位置Ｐ１へのスキップ操作が受け付けられた場合には、タイトル表示部４１１ａには、「タイトル：−１」と表示され、符号付きの番組数情報が「−１」であることがわかる。また、チャプタ表示部４１１ｂには、「チャプタ：２」と表示され、チャプタ番号情報が「２」であることがわかる。すなわち、スキップ先位置が、基準番組を基準として１個前の番組における２個目のチャプタであることがわかる。
【００７１】
例えば、表示形態設定部１１２によって絶対表示が設定されている場合に、スキップ受付部１１３によって、再生中の位置Ｐ０からスキップ先位置Ｐ３へのスキップ操作が受け付けられた場合には、タイトル表示部４１１ａには、「タイトル：２」と表示され、番組番号情報が「２」であることがわかる。また、チャプタ表示部４１１ｂには、「チャプタ：５」と表示され、チャプタ番号情報が「５」であることがわかる。すなわち、スキップ先位置が、映像記憶部１９１に格納された２個目の番組における５個目のチャプタであることがわかる。
【００７２】
再び、図３に戻って、ＭＰＵ１１の機能構成について説明する。スキップ実行部１１６（スキップ実行手段の一部に相当する）は、リモコン３を介してユーザからの操作入力を受け付けて、受け付けられた操作入力に基づいて、スキップ受付部１１３によって受け付けられたスキップ先位置へ再生位置をスキップするものである。
【００７３】
具体的には、ここでは、スキップ実行部１１６は、スキップ受付部１１３によってフォワードスキップキー３１又はバックスキップキー３２が押下されたと受け付けられた後、予め設定された所定時間（例えば、０．３秒）以上、キー入力が無い場合に、スキップ受付部１１３によって受け付けられたスキップ先位置へ再生位置をスキップするものである。
【００７４】
図６、図７は、ＨＤＤレコーダ１（主にＭＰＵ１１）の動作の一例を示すフローチャートである。なお、ここでは、便宜上、予め映像記録部１１１によって映像記憶部１９１に受信部１５を介して受信された番組情報（＝映像情報及び音声情報等）が格納されており、表示形態設定部１１２によって、予め相対表示及び絶対表示のいずれか一方の表示形態が設定されている場合について説明する。
【００７５】
まず、スキップ受付部１１３によってスキップする指示が受け付けられたか否かの判定が行われる（Ｓ１０１）。スキップする指示が受け付けられていないと判定された場合（Ｓ１０１でＮＯ）には、処理が待機状態とされる。スキップする指示が受け付けられたと判定された場合（Ｓ１０１でＹＥＳ）には、スキップ先判定部１１４によって、ステップＳ１０１において受け付けられたスキップ先位置が、再生中のチャプタを含む番組である基準番組内であるか否かの判定が行われる（Ｓ１０３）。基準番組内ではないと判定された場合（Ｓ１０３でＮＯ）には、処理が図６に示すステップＳ１１７に進められる。
【００７６】
基準番組内であると判定された場合（Ｓ１０３でＹＥＳ）には、表示制御部１１５によって、表示形態設定部１１２により設定された表示形態が相対表示であるか否かの判定が行われる（Ｓ１０５）。相対表示であると判定された場合（Ｓ１０５でＹＥＳ）には、表示制御部１１５によって、スキップ先位置が含まれるチャプタであるスキップ先チャプタが、基準チャプタを基準として何個後又は何個前のチャプタであるかがカウントされる（Ｓ１０７）。相対表示ではない（＝絶対表示である）と判定された場合（Ｓ１０５でＮＯ）には、表示制御部１１５によって、スキップ先位置が含まれるチャプタであるスキップ先チャプタのチャプタ番号が取得される（Ｓ１０９）。
【００７７】
ステップＳ１０７又はステップＳ１０９の処理が終了した場合には、表示制御部１１５によって、ディスプレイ２１に符号付きのチャプタ数情報又はチャプタ番号情報が表示される（Ｓ１１１）。そして、スキップ実行部１１６によって、予め設定された所定時間（例えば、０．３秒）以上、キー入力が無いか否かの判定が行われる（Ｓ１１３）。キー入力が有ると判定された場合（Ｓ１１３でＮＯ）には、処理がステップＳ１０１に戻され、ステップＳ１０１以降の処理が繰り返し実行される。キー入力が無いと判定された場合（Ｓ１１３でＹＥＳ）には、スキップ実行部１１６によって、設定されたスキップ先位置へ再生位置がスキップされ（Ｓ１１５）、処理が終了される。
【００７８】
ステップＳ１０３でＮＯの場合には、図７に示すように、表示制御部１１５によって、表示形態設定部１１２により設定された表示形態が相対表示であるか否かの判定が行われる（Ｓ１１７）。相対表示であると判定された場合（Ｓ１１７でＹＥＳ）には、表示制御部１１５によって、スキップ先位置が含まれる番組であるスキップ先番組が、基準番組を基準として何個後又は何個前の番組であるかがカウントされる（Ｓ１１９）。相対表示ではない（＝絶対表示である）と判定された場合（Ｓ１１７でＮＯ）には、表示制御部１１５によって、スキップ先位置が含まれる番組であるスキップ先番組の番組番号が取得される（Ｓ１２１）。
【００７９】
ステップＳ１１９又はステップＳ１２１の処理が終了した場合には、表示制御部１１５によって、スキップ先チャプタがスキップ先番組の何個目のチャプタであるかを示すチャプタ番号が取得される（Ｓ１２３）。そして、表示制御部１１５によって、ステップＳ１１９（又はステップＳ１２１）において取得（又はカウント）された番組数情報（又は番組番号情報）、及び、ステップＳ１２３において取得されたチャプタ番号情報が表示され（Ｓ１２５）、処理が図６に示すステップＳ１１３に進められる。
【００８０】
このようにして、複数の番組に対応する映像情報が映像記憶部１９１に予め格納されており、リモコン３を介してユーザからの操作入力が受け付けられて、受け付けられた操作入力に基づいて、予め設定されたチャプタ単位で映像記憶部１９１に格納された映像情報の再生位置を、再生方向又は巻き戻し方向のチャプタの先頭位置であるスキップ先位置へスキップする指示が受け付けられる。また、リモコン３を介してユーザからの操作入力が受け付けられて、受け付けられた操作入力に基づいて、スキップ先位置のディスプレイ２１への表示形態が設定される。そして、設定された表示形態に従って、受け付けられたスキップ先位置がディスプレイ２１に表示され、リモコン３を介してユーザからの操作入力が受け付けられて、受け付けられた操作入力に基づいて、受け付けられたスキップ先位置へ再生位置がスキップされるため、利便性良好に視聴を所望する再生位置にチャプタスキップすることができる。
【００８１】
すなわち、リモコン３を介してユーザからの操作入力が受け付けられて、受け付けられた操作入力に基づいて、スキップ先位置のディスプレイ２１への表示形態が設定され、設定された表示形態に従って、受け付けられたスキップ先位置がディスプレイ２１に表示されるため、ユーザが所望する表示形態を設定することが可能となるので、利便性良好に視聴を所望する再生位置にチャプタスキップすることができるのである。
【００８２】
また、スキップ先位置を、再生中のチャプタである基準チャプタを基準として表示する相対位置表示、及び、スキップ先位置を、番組の先頭位置を基準として表示する絶対位置表示、の一方を選択することによって表示形態が設定されるため、ユーザが所望する表示形態を容易に設定することが可能となるので、更に利便性良好に視聴を所望する再生位置にチャプタスキップすることができる。
【００８３】
更に、受け付けられたスキップ先位置が、再生中のチャプタを含む番組である基準番組内であるか否かが判定され、スキップ先位置が基準番組内であると判定された場合に、相対位置表示が設定されている場合には、スキップ先位置が含まれるチャプタであるスキップ先チャプタが、基準チャプタを基準として何個後又は何個前のチャプタであるかを示す符号付きのチャプタ数情報が表示され、絶対位置表示が設定されている場合には、スキップ先チャプタが基準番組の何個目のチャプタであるかを示すチャプタ番号情報が表示されるため、更に利便性良好に視聴を所望する再生位置にチャプタスキップすることができる。
【００８４】
すなわち、スキップ先位置が基準番組内であると判定された場合に、相対位置表示が設定されている場合には、スキップ先位置が含まれるチャプタであるスキップ先チャプタが、再生中のチャプタである基準チャプタを基準として何個後又は何個前のチャプタであるかを示す符号付きのチャプタ数情報が表示されるため、再生中のチャプタである基準チャプタが再生中の番組における何番目のチャプタであるかを把握していない場合であっても利便性良好に視聴を所望する再生位置にチャプタスキップすることができるのである。
【００８５】
また、スキップ先位置が基準番組内であると判定された場合に、絶対位置表示が設定されている場合には、スキップ先チャプタが基準番組の何個目のチャプタであるかを示すチャプタ番号情報が表示されるため、再生中のチャプタである基準チャプタが再生中の番組における何番目のチャプタであるかを把握している場合には、利便性良好に視聴を所望する再生位置にチャプタスキップすることができるのである。
【００８６】
加えて、スキップ先位置が基準番組内ではないと判定された場合に、相対位置表示が設定されている場合には、スキップ先位置が含まれる番組であるスキップ先番組が、基準番組を基準として何個後又は何個前の番組であるかを示す符号付きの番組数情報が表示され、絶対位置表示が設定されている場合には、スキップ先番組が映像記憶部１９１に格納された何個目の番組であるかを示す番組番号情報が表示されるため、更に利便性良好に視聴を所望する再生位置にチャプタスキップすることができる。
【００８７】
すなわち、スキップ先位置が基準番組内ではないと判定された場合に、相対位置表示が設定されている場合には、スキップ先位置が含まれる番組であるスキップ先番組が、基準番組を基準として何個後又は何個前の番組であるかを示す符号付きの番組数情報が表示され、再生中の番組である基準番組が映像記憶部１９１に格納された何個目の番組であるかを把握していない場合であっても、利便性良好に視聴を所望する再生位置にチャプタスキップすることができるのである。
【００８８】
また、スキップ先位置が基準番組内ではないと判定された場合に、絶対位置表示が設定されている場合には、スキップ先番組が映像記憶部１９１に格納された何個目の番組であるかを示す番組番号情報が表示されるため、再生中の番組である基準番組が映像記憶部１９１に格納された何個目の番組であるかを把握している場合には、利便性良好に視聴を所望する再生位置にチャプタスキップすることができるのである。
【００８９】
更に、スキップ先位置が基準番組内ではないと判定された場合に、スキップ先チャプタがスキップ先番組の何個目のチャプタであるかを示すチャプタ番号情報が表示されるため、更に利便性良好に視聴を所望する再生位置にチャプタスキップすることができる。
【００９０】
すなわち、スキップ先位置が基準番組内ではないと判定された場合に、スキップ先番組の位置を示す番組番号情報（又は符号付きの番組数情報）に加えて、スキップ先チャプタがスキップ先番組の何個目のチャプタであるかを示すチャプタ番号情報が表示されるため、スキップ先位置を更に正確に把握することができるので、更に利便性良好に視聴を所望する再生位置にチャプタスキップすることができるのである。
【００９１】
なお、本発明は、以下の形態にも適用可能である。
（Ａ）本実施形態では、映像再生装置が、デジタル放送を受信してＨＤＤ１９に格納可能に構成されたＨＤＤレコーダ１である場合について説明したが、映像再生装置が、予め格納された映像情報を再生してモニタに表示する装置であればよい。例えば、映像再生装置が、パーソナルコンピュータである形態でもよいし、ＤＶＤプレイヤである形態でもよい。
【００９２】
（Ｂ）本実施形態では、ＭＰＵ１１が、映像記録部１１１、表示形態設定部１１２、スキップ受付部１１３、スキップ先判定部１１４、表示制御部１１５、スキップ実行部１１６等の機能部を備える場合について説明したが、映像記録部１１１、表示形態設定部１１２、スキップ受付部１１３、スキップ先判定部１１４、表示制御部１１５、及び、スキップ実行部１１６の内、少なくとも１の機能部が回路等のハードウェアによって実現されている形態でもよい。
【００９３】
（Ｃ）本実施形態では、表示形態設定部１１２が、相対位置表示、絶対位置表示、及び、無表示のいずれかを選択することによって表示形態を設定する場合について説明したが、表示形態設定部１１２が、相対位置表示又は絶対位置表示を選択することによって表示形態を設定する形態でもよい。また、表示形態設定部１１２が、相対位置表示及び絶対位置表示を含む３以上の選択肢の中から１の選択肢を選択することによって表示形態を設定する形態でもよい。
【図面の簡単な説明】
【００９４】
【図１】は、本発明に係るＨＤＤレコーダの構成の一例を示すブロック図である。
【図２】は、リモコンの一例を示す正面図である。
【図３】は、本発明に係るＨＤＤレコーダにおける主要部の構成の一例を示すブロック図である。
【図４】は、表示形態設定部によってディスプレイに表示されるスキップ表示設定画面の一例を示す画面図、及び、表示制御部によってディスプレイに表示されるスキップ先表示画面の一例を示す画面図である。
【図５】は、スキップ受付部によって設定されるスキップ先位置の一例を示す説明図、及び、図４（ｂ）に示すスキップ先表示画面のタイトル表示部及びチャプタ表示部に表示される内容の一例を示す図表である。
【図６】は、ＨＤＤレコーダ（主にＭＰＵ）の動作の一例を示すフローチャート（前半部）である。
【図７】は、ＨＤＤレコーダ（主にＭＰＵ）の動作の一例を示すフローチャート（後半部）である。
【符号の説明】
【００９５】
１    ＨＤＤレコーダ（映像再生装置、放送記録再生装置）
１１    ＭＰＵ
１１１    映像記録部（映像記録手段）
１１２    表示形態設定部（表示形態設定手段の一部）
１１３    スキップ受付部（スキップ受付手段の一部）
１１４    スキップ先判定部（スキップ先判定手段）
１１５    表示制御部（表示制御手段）
１１６    スキップ実行部（スキップ実行手段の一部）
１５    受信部（受信手段）
１９    ＨＤＤ
１９１    映像記憶部（映像記憶手段）
２    出力装置
２１    ディスプレイ（モニタ）
３    リモコン（映像記録手段の一部、スキップ受付手段の一部、表示形態設定手段の一部、及び、スキップ実行手段の一部）
【図１】
2009044554.tif 000003
【図２】
2009044554.tif 000004
【図３】
2009044554.tif 000005
【図４】
2009044554.tif 000006
【図５】
2009044554.tif 000007
【図６】
2009044554.tif 000008
【図７】
2009044554.tif 000009